(57)【要約】【課題】成形機を限定することなく安価に製造することが出来る空気調和機のエアフィルタを提供する。【解決手段】エアフィルタ１と、前記エアフィルタ１の上流側の表面に沿って上下又は左右に移動する吸引ノズル（図示せず）と、前記吸引ノズルに連通された吸引装置（図示せず）により構成されるエアフィルタ清掃装置（図示せず）に使用される空気調和機のエアフィルタ１において、前記エアフィルタ１の側面側に、屈曲部１ａを形成するためのガイドレール９を設けたもので、エアフィルタ１は、成形時に屈曲部１ａを構成することなく、成形し、成形後、ガイドレール９とはめ合わせることにより、屈曲部１ａを形成することができるので、エアフィルタ１の成形において、成形機を限定することなく生産が可能となり、安価に提供することができる。【選択図】図２
2009287859.tif 000002
【特許請求の範囲】
【請求項１】
エアフィルタと、前記エアフィルタの上流側の表面に沿って上下又は左右に移動する吸引ノズルと、前記吸引ノズルに連通された吸引装置により構成されるエアフィルタ清掃装置に使用される空気調和機のエアフィルタにおいて、前記エアフィルタの側面側に、屈曲部を形成するためのガイドレールを設けたことを特徴とする空気調和機のエアフィルタ。
【請求項２】
エアフィルタの側面側にガイドレールをネジで固定したことを特徴とする請求項１に記載の空気調和機のエアフィルタ。
【請求項３】
エアフィルタの側面側に固定部を設け、ガイドレールに前記固定部が係止される係止部を形成したことを特徴とする請求項１に記載の空気調和機のエアフィルタ。
【請求項４】
エアフィルタの屈曲部を形成する部位を薄肉形状としたことを特徴とする請求項１〜３のいずれか１項に記載の空気調和機のエアフィルタ。
【請求項５】
エアフィルタの屈曲部を形成する部位を波形状としたことを特徴とする請求項１〜３のいずれか１項に記載の空気調和機のエアフィルタ。
【請求項６】
請求項１〜５のいずれか１項に記載の空気調和機のエアフィルタと、前記エアフィルタの上流側の表面に沿って上下又は左右に移動する吸引ノズルと、前記吸引ノズルに連通された吸引装置により構成されたエアフィルタ清掃装置を備えた空気調和機。
【発明の詳細な説明】
【技術分野】
【０００１】
本発明は、空気調和機のエアフィルタ及び空気調和機に関するもので、特に、空気調和機に内蔵され、エアフィルタの清掃を自動的に行うエアフィルタ清掃装置に使用されるエアフィルタに関するものである。
【背景技術】
【０００２】
従来、エアフィルタの清掃を自動的に行う空気調和機のエアフィルタ清掃装置として、図８に示すような屈曲部１ａを有するエアフィルタと、前記エアフィルタの上流側の表面に沿って左右に駆動する吸引ノズルと、前記吸引ノズルに連通された吸引装置から構成され、吸引ノズルをエアフィルタの表面に沿って移動させながら、吸引装置を動作させて、エアフィルタを清掃するようにしたものがある（例えば、特許文献１参照）。エアフィルタに形成した屈曲部１ａは、室内ユニットの内部構造によって決定されるもので、その屈曲部１ａは、エアフィルタの成型時に形成されていた。
【特許文献１】特開２００７−１０７８２７号公報
【発明の開示】
【発明が解決しようとする課題】
【０００３】
しかしながら、前記従来の空気調和機のエアフィルタの屈曲部１ａは、成型時に形成するようにしているので、エアフィルタを成形する成形機が限定され、製品コストが高くなってしまうという課題があった。
【０００４】
本発明は、前記従来の課題を解決し、エアフィルタの清掃を自動的に行うようにした空気調和機のエアフィルタを安価に提供することを目的とする。
【課題を解決するための手段】
【０００５】
前記従来の課題を解決するために、本発明の空気調和機のエアフィルタは、エアフィルタと、前記エアフィルタの上流側の表面に沿って上下又は左右に移動する吸引ノズルと、前記吸引ノズルに連通された吸引装置により構成されるエアフィルタ清掃装置に使用される空気調和機のエアフィルタにおいて、前記エアフィルタの側面側に、屈曲部を形成するためのガイドレールを設けたもので、エアフィルタは、成形時に屈曲部を構成することなく、成形し、成形後、ガイドレールとはめ合わせることにより、屈曲部を形成することができるので、エアフィルタの成形において、成形機を限定することなく生産が可能となり、安価に提供することができる。
【０００６】
また、本発明の空気調和機は、請求項１〜５のいずれか１項に記載の空気調和機のエアフィルタと、前記エアフィルタの上流側の表面に沿って上下又は左右に移動する吸引ノズルと、前記吸引ノズルに連通された吸引装置により構成されたエアフィルタ清掃装置を備えたもので、エアフィルタは、成形時に屈曲部を構成することなく成形し、成形後、ガイドレールとはめ合わせることにより、屈曲部を形成することができるので、成形機を限定することなく、エアフィルタの生産が可能となり、安価な空気調和機を提供することができる。
【発明の効果】
【０００７】
本発明の空気調和機のエアフィルタは、エアフィルタの側面側にエアフィルタに屈曲部を構成するためのガイドレールを具備することにより、エアフィルタの成形において、成形機を限定することなく生産が可能となり、安価に提供することができる。
【発明を実施するための最良の形態】
【０００８】
第１の発明は、エアフィルタと、前記エアフィルタの上流側の表面に沿って上下又は左右に移動する吸引ノズルと、前記吸引ノズルに連通された吸引装置により構成されるエアフィルタ清掃装置に使用される空気調和機のエアフィルタにおいて、前記エアフィルタの側面側に、屈曲部を形成するためのガイドレールを設けたもので、エアフィルタは、成形時に屈曲部を構成することなく、成形し、成形後、ガイドレールとはめ合わせることにより、屈曲部を形成することができるので、エアフィルタの成形において、成形機を限定することなく生産が可能となり、安価に提供することができる。
【０００９】
第２の発明は、特に、第１の発明のエアフィルタの側面側にガイドレールをネジで固定したもので、エアフィルタの成形後、ガイドレールをエアフィルタにネジで固定することにより、エアフィルタに確実に屈曲部を形成することができる。
【００１０】
第３の発明は、特に、第１の発明のエアフィルタの側面側に固定部を設け、ガイドレールに前記固定部が係止される係止部を形成したもので、エアフィルタの成形後、エアフィルタの固定部を、ガイドレールの係止部に係合させるだけで、エアフィルタにガイドレールが固定され、確実に屈曲部を形成することができる。
【００１１】
第４の発明は、特に、第１〜３のいずれか一つの発明のエアフィルタの屈曲部を形成する部位を薄肉形状としたもので、エアフィルタの屈曲部を形成する部位で容易に屈曲できるので、エアフィルタへのガイドレールの取り付け作業が容易になる。
【００１２】
第５の発明は、特に、第１〜３のいずれか一つの発明のエアフィルタの屈曲部を形成する部位を波形状としたもので、エアフィルタの屈曲部を形成する部位で容易に屈曲できるので、エアフィルタへのガイドレールの取り付け作業が容易になる。
【００１３】
第６の発明は、請求項１〜５のいずれか１項に記載の空気調和機のエアフィルタと、前記エアフィルタの上流側の表面に沿って上下又は左右に移動する吸引ノズルと、前記吸引ノズルに連通された吸引装置により構成されたエアフィルタ清掃装置を備えたもので、エアフィルタは、成形時に屈曲部を構成することなく成形し、成形後、ガイドレールとはめ合わせることにより、屈曲部を形成することができるので、成形機を限定することなく、エアフィルタの生産が可能となり、安価な空気調和機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機のエアフィルタを備えたエアフィルタ装置の斜視図、図２（ａ）は、同エアフィルタの斜視図、図２（ｂ）は、図２（ａ）のＡ−Ａ断面図、図３は、同エアフィルタの成型時の斜視図である。
【００１６】
図１において、熱交換器（図示せず）を通過する空気の塵埃を除去する本実施の形態における空気調和機のエアフィルタ１は、フィルタ枠２に取り付けられ、エアフィルタ１の表面に沿って左右に移動可能な吸引ノズル３が設けられている。吸引ノズル３は、左右駆動装置８と、フィルタ枠２の上・下端に設置されたガイドレール４により、エアフィルタ１と狭い間隙を保って円滑に左右に移動することができるようになっている。
【００１７】
吸引ノズル３には、吸引ダクト５が連結され、さらに吸引ダクト５は、吸引装置６に連結される。吸引ダクト５は、吸引ノズル３の左右の移動に差し支えないように折り曲げ可能なダクトで形成されている。さらに、吸引装置６には、室外へ引き回される排気ダクト
７が連結され、エアフィルタ１に付着した塵埃は、吸引ノズル３により吸引され、吸引ダクト５、吸引装置６、排気ダクト７を経由して室外へ排出されるようになっている。
【００１８】
図２において、エアフィルタ１の屈曲部１ａとなる側面部には、屈曲部１ａを形成するための板金もしくは、樹脂成形品からなるガイドレール９がはめ合わされて、屈曲部１ａを有するエアフィルタ１を構成している。
【００１９】
この構成であれば、エアフィルタ１は、図３に示すように、成形時に屈曲部１ａを形成することなく成形することができ、成形機を限定することなく生産が可能となり、安価に提供することができる。
【００２０】
図４は、ガイドレール９の他の取付け例を示すもので、ガイドレール９を、エアフィルタ１に、ネジ１０にて一箇所以上固定して、屈曲部１ａを有するエアフィルタ１を構成するものである。
【００２１】
この構成であれば、エアフィルタ１は、成形時に屈曲部１ａを構成することなく、成形することができ、また、ガイドレール９と固定後は、確実に屈曲形状を構成することができ、エアフィルタ１の成形機を限定することなく生産が可能となり、安価に提供することができる。
【００２２】
図５は、ガイドレール９の他の取付け例を示すもので、エアフィルタ１の側面側部に、爪等の固定部Ｃを一箇所以上設け、ガイドレール９に固定部Ｃに係止する孔などの係止部Ｄを設けて、固定部Ｃを係止部Ｄに係止させて、ガイドレール９をエアフィルタ１に固定するもので、確実に屈曲部１ａを形成するエアフィルタ１にすることができ、エアフィルタの成形において、成形機を限定することなく生産が可能となり、安価に提供することができる。
【００２３】
図６は、エアフィルタ１の他の例を示すもので、図６（ａ）は、同エアフィルタ１の斜視図、図６（ｂ）は、同エアフィルタ１の側面図である。
【００２４】
同図に示すように、本例では、エアフィルタ１の屈曲部１ａとなる側面側部を薄肉形状（Ｆ部）としたもので、こうすることで、エアフィルタ１を容易に屈曲させることが可能になり、屈曲部１ａを形成するためのガイドレール９のエアフィルタ１への取付けが容易になる。
【００２５】
図７は、エアフィルタ１の他の例を示すもので、図７（ａ）は、同エアフィルタ１の斜視図、図７（ｂ）は、同エアフィルタ１の側面図である。
【００２６】
同図に示すように、本例では、エアフィルタ１の屈曲部１ａとなる側面側部を、薄肉部と厚肉部からなる波形状Ｈにて形成したもので、容易に屈曲させることが可能になり、ガイドレール９の係止部Ｄとエアフィルタ１の固定部Ｃとの係合が容易になると共にエアフィルタに確実に屈曲部１ａを形成することができる。
【００２７】
尚、上記実施の形態では、吸引ノズル３を左右方向に移動させる例を示したが、上下方向に移動させるようにしても良い。
【産業上の利用可能性】
【００２８】
以上のように、本発明の空気調和機のエアフィルタは屈曲部１ａを構成するためのガイドレールを有することにより、エアフィルタの成形において、屈曲部１ａを成形することなく成形でき、成形機を限定することなく生産が可能となり、安価に提供することができ
る。
【図面の簡単な説明】
【００２９】
【図１】本発明の実施の形態１における空気調和機のエアフィルタを備えたエアフィルタ装置の斜視図
【図２】（ａ）同エアフィルタの斜視図（ｂ）図２（ａ）のＡ−Ａ断面図
【図３】同エアフィルタの成型時の斜視図
【図４】同エアフィルタの他の例を示す斜視図
【図５】（ａ）同エアフィルタの他の例を示す斜視図（ｂ）図５（ａ）のＢ−Ｂ断面図
【図６】（ａ）同エアフィルタの他の例を示す斜視図（ｂ）同エアフィルタの側面図
【図７】（ａ）同エアフィルタの他の例を示す斜視図（ｂ）同エアフィルタの側面図
【図８】従来の空気調和機のエアフィルタの斜視図
【符号の説明】
【００３０】
１  エアフィルタ
１ａ  屈曲部
２  エアフィルタ枠
３  吸引ノズル
４  ガイドレール
５  吸引ダクト
６  吸引装置
７  排気ダクト
８  左右駆動装置
９  ガイドレール
【図１】
2009287859.tif 000003
【図２】
2009287859.tif 000004
【図３】
2009287859.tif 000005
【図４】
2009287859.tif 000006
【図５】
2009287859.tif 000007
【図６】
2009287859.tif 000008
【図７】
2009287859.tif 000009
【図８】
2009287859.tif 000010